(57)【要約】【課題】端子金具の挿入抵抗が上昇するのを抑えた上で、シール性を維持することが可能な防水コネクタを提供する。【解決手段】防水コネクタは、周囲を外壁２１で区画されたゴム栓収容室１９及びキャビティ３１を有するコネクタ本体１０と、シール孔８１を有してゴム栓収容室１９内に収容されるゴム栓８０と、貫通孔６４を有してゴム栓８０の後面に当接可能にコネクタ本体１０に装着されるリアホルダ６０とを備えている。コネクタ本体１０の外壁２１には、後方へ向かうに従いゴム栓収容室１９側に近づく方向に傾斜する外面を有することで薄肉となる薄肉部２７が設けられる。リアホルダ６０には、コネクタ本体１０に正規に装着されたときに、薄肉部２７の外面に被さることで薄肉部２７の拡開を規制することが可能な拡開規制部６３が設けられる。【選択図】図１
2015118829.tif 000002
【特許請求の範囲】
【請求項１】
電線の先端部に接続された端子金具と、
周囲を外壁で区画されて後面に開口するゴム栓収容室、及び前後方向に延びて後端が前記ゴム栓収容室に臨むキャビティを有するコネクタ本体と、
前記ゴム栓収容室内に収容され、収容された状態で前記キャビティと連通する位置にシール孔を有し、前記シール孔を通して前記キャビティ内に前記端子金具が挿入されたときに、その端子金具から延びる前記電線を前記シール孔内に液密に挿入させることが可能で、且つ外面が前記外壁の内面に密着可能なゴム栓と、
前記コネクタ本体に装着され、装着された状態で前記シール孔と連通する位置に貫通孔を有し、前記キャビティ内に挿入された前記端子金具から延びる前記電線を前記貫通孔内に遊嵌して挿入させることが可能で、且つ前記ゴム栓の後面に当接することによって前記ゴム栓が前記ゴム栓収容室から抜け出るのを規制することが可能なリアホルダとを備えた防水コネクタであって、
前記コネクタ本体の前記外壁には、後方へ向かうに従い前記ゴム栓収容室側に近づく方向に傾斜する外面を有することで薄肉となる薄肉部が設けられ、
前記リアホルダには、前記コネクタ本体に正規に装着されたときに、前記薄肉部の前記外面に被さることで前記薄肉部の拡開を規制することが可能な拡開規制部が設けられていることを特徴とする防水コネクタ。
【請求項２】
前記リアホルダは、前記拡開規制部が前記薄肉部と接触せずに後方へ離間して配置される仮係止位置と、前記コネクタ本体に正規に装着されて前記拡開規制部が前記薄肉部と接触する本係止位置とに前後方向に移動可能とされていることを特徴とする請求項１記載の防水コネクタ。
【請求項３】
前記拡開規制部は、前記リアホルダが前記コネクタ本体に正規に装着されたときに、前記薄肉部の前記外面に対面して当接可能な傾斜面を有していることを特徴とする請求項１又は２記載の防水コネクタ。
【発明の詳細な説明】
【技術分野】
【０００１】
本発明は、防水コネクタに関するものである。
【背景技術】
【０００２】
特許文献１に記載された防水コネクタは、電線の先端部に接続された端子金具と、キャビティを有するコネクタ本体（コネクタハウジング）と、シール孔（電線挿通孔）を有するゴム栓（一括ゴム栓）と、ゴム栓の後面に当接可能に配置されてシール孔に対応した貫通孔（端子挿入口）を有するリアホルダとを備えている。端子金具は、貫通孔からシール孔を経てキャビティ内に挿入される。端子金具がキャビティ内に挿入されると、その端子金具から延びる電線がシール孔内に液密に挿入され、且つ貫通孔内に遊嵌して挿入される。コネクタ本体の後部には、ゴム栓収容室が設けられている。ゴム栓収容室は、コネクタ本体の後面に開口する形態とされ、内部にゴム栓及びリアホルダが挿入されて収容可能とされている。ゴム栓収容室の周囲は外壁により取り囲まれ、外壁の内面にゴム栓の外面が密着することで、コネクタ本体内が液密にシールされる。
【先行技術文献】
【特許文献】
【０００３】
【特許文献１】特開２０１２−６９３７５号公報
【発明の概要】
【発明が解決しようとする課題】
【０００４】
ところで、端子金具がシール孔を通過する際には、端子金具にゴム栓の弾性力が作用するため、挿入抵抗が上昇するという問題があった。これに対し、外壁が薄肉になっていれば、シール孔内に挿入された端子金具によってゴム栓が外側に押圧されたときに、外壁が拡開変形することで、端子金具に作用するゴム栓の弾性力が減じられるため、挿入抵抗が上昇するのを抑えることができた。しかし、シール孔内に電線が挿入されたときに、外壁が拡開変形したままの状態であると、電線がゴム栓から適正な締め付け力で締め付けられず、シール性が低下するおそれがあった。
【０００５】
本発明は上記のような事情に基づいて完成されたものであって、端子金具の挿入抵抗が上昇するのを抑えた上で、シール性を維持することが可能な防水コネクタを提供することを目的とする。
【課題を解決するための手段】
【０００６】
本発明は、電線の先端部に接続された端子金具と、周囲を外壁で区画されて後面に開口するゴム栓収容室、及び前後方向に延びて後端が前記ゴム栓収容室に臨むキャビティを有するコネクタ本体と、前記ゴム栓収容室内に収容され、収容された状態で前記キャビティと連通する位置にシール孔を有し、前記シール孔を通して前記キャビティ内に前記端子金具が挿入されたときに、その端子金具から延びる前記電線を前記シール孔内に液密に挿入させることが可能で、且つ外面が前記外壁の内面に密着可能なゴム栓と、前記コネクタ本体に装着され、装着された状態で前記シール孔と連通する位置に貫通孔を有し、前記キャビティ内に挿入された前記端子金具から延びる前記電線を前記貫通孔内に遊嵌して挿入させることが可能で、且つ前記ゴム栓の後面に当接することによって前記ゴム栓が前記ゴム栓収容室から抜け出るのを規制することが可能なリアホルダとを備えた防水コネクタであって、前記コネクタ本体の前記外壁には、後方へ向かうに従い前記ゴム栓収容室側に近づく方向に傾斜する外面を有することで薄肉となる薄肉部が設けられ、前記リアホルダには、前記コネクタ本体に正規に装着されたときに、前記薄肉部の前記外面に被さることで前記薄肉部の拡開を規制することが可能な拡開規制部が設けられているところに特徴を有する。
【発明の効果】
【０００７】
キャビティ内に端子金具を挿入する際には、例えば、コネクタ本体からリアホルダを離した状態とすることにより、シール孔内に挿入された端子金具によってゴム栓が外側に押圧されたときに、外壁の薄肉部が拡開変形することで、端子金具に作用するゴム栓の弾性力が減じられ、挿入抵抗が上昇するのを抑えることができる。一方、リアホルダがコネクタ本体に正規に装着されたときには、拡開規制部が薄肉部の傾斜する外面に被さることで薄肉部の拡開を規制することが可能となるため、ゴム栓から電線に適正な締め付け力を付与することができ、シール性が低下するのを抑えることができる。したがって、本発明によれば、端子金具の挿入抵抗が上昇するのを抑えた上で、シール性を維持することが可能な防水コネクタを提供することができる。
【図面の簡単な説明】
【０００８】
【図１】実施例において、リアホルダが本係止位置にある場合における防水コネクタの断面図である。
【図２】リアホルダが仮係止位置にある場合における防水コネクタの断面図である。
【図３】リアホルダが仮係止位置に組み付けられたサブハウジングの一部破断平面図である。
【図４】リアホルダが本係止位置に組み付けられたサブハウジングの一部破断平面図である。
【図５】コネクタ本体の背面図である。
【図６】リアホルダの平面図である。
【図７】リアホルダの正面図である。
【図８】リアホルダの側面図である。
【図９】リアホルダの背面図である。
【発明を実施するための形態】
【０００９】
以下、本発明の好ましい形態を示す。
前記リアホルダは、前記拡開規制部が前記薄肉部と接触せずに後方へ離間して配置される仮係止位置と、前記コネクタ本体に正規に装着されて前記拡開規制部が前記薄肉部と接触する本係止位置とに前後方向に移動可能とされている。これによれば、リアホルダの移動操作に応じて、端子金具の挿入抵抗及びゴム栓のシール性の調整を容易に行うことができる。
【００１０】
前記拡開規制部は、前記リアホルダが前記コネクタ本体に正規に装着されたときに、前記薄肉部の前記外面に対面して当接可能な傾斜面を有している。拡径規制部の傾斜面が薄肉部の外面に対面して当接することにより、当接代を大きく確保することができるため、薄肉部の拡開をより確実に規制することができる。
【００１１】
＜実施例＞
実施例を、図面を参照しつつ説明する。防水コネクタは、端子金具９０と、コネクタ本体１０と、ゴム栓８０と、リアホルダ６０とを備えている。また、コネクタ本体１０は、メインハウジング１１と、複数のサブハウジング３０とを備え、図示しない相手コネクタと嵌合可能とされている。なお、以下において、前後方向については、相手コネクタとの嵌合開始時に相手コネクタが位置する側を前方として説明する。
【００１２】
端子金具９０は導電性の金属板を曲げ加工等して成形され、図１及び図２に示すように、全体として前後方向に細長い形状とされている。端子金具９０は、角筒状の接続部９１と、接続部９１の後方に連なるオープンバレル状のバレル部９２とを有している。接続部９１には、相手コネクタとの嵌合時に相手コネクタに装着された図示しない相手端子金具のタブが挿入されて接続可能とされている。本実施例の場合、端子金具９０は複数のサイズで構成される。このうち、小型の端子金具９０は、バレル部９２が電線１００の先端部の被覆部分に圧着により接続され、大型の端子金具９０Ａは、バレル部９２が電線１００の先端部の被覆部分に嵌着されたゴム製のシール部材５０に圧着により接続されている。なお、以下において、特にことわらない限り、端子金具９０とは、小型の端子金具９０のことを言う。
【００１３】
メインハウジング１１は、合成樹脂製であって、図１、図２及び図５に示すように、高さ方向（図示上下方向）略中央部に位置する端子装着部１２と、端子装着部１２を挟んだ高さ方向両端部に位置する一対のハウジング収容部１３とを有している。端子装着部１２には、大型の端子金具９０Ａを挿入可能な複数の大型キャビティ１４が設けられている。大型キャビティ１４は、前後方向に延出して、図５に示すように、端子装着部１２の後面に断面円形に開口する形態とされている。そして、大型キャビティ１４の後部の内面には大型の端子金具９０Ａに圧着されたシール部材５０の外面が密着させられ、これによって大型キャビティ１４内が液密にシールされるようになっている。
【００１４】
図１、図２及び図５に示すように、ハウジング収容部１３は、前壁１６を残して後方に開放された形態とされている。前壁１６には、両コネクタの嵌合時に、前方から相手端子金具のタブを挿通可能な複数のタブ挿通口１７が開口して設けられている。ハウジング収容部１３内には、後方からサブハウジング３０が挿入されて収容される。図５に示すように、ハウジング収容部１３の両側内面には、サブハウジング３０を抜け止めするための一対のロック受け部１８が設けられている。
【００１５】
ハウジング収容部１３内の後部には、ゴム栓８０を収容可能なゴム栓収容室１９が設けられている。図５に示すように、ゴム栓収容室１９は、周囲を外壁２１によって包囲され、ハウジング収容部１３の後面に幅方向に延びた断面略長円形に開口する形態とされている。外壁２１のうち、端子装着部１２との間を区画する部分とそれに対向してメインハウジング１１の上下両壁を構成する部分は、幅方向に沿ったストレート壁２２とされ、両ストレート壁２２の幅方向の両端間をつなぐ部分は、円弧状に膨出する円弧壁２３とされている。上記ロック受け部１８は、円弧壁２３の内面に突設されている。
【００１６】
図５に示すように、外壁２１のうち、メインハウジング１１の上下両壁を構成するストレート壁２２（以下、外側ストレート壁２２Ａ）の外面には、円弧壁２３の外面の上下両端から一段落ちた位置にリアホルダ６０の後述する拡開規制部６３と当接可能な受け面２４が設けられている。さらに、図１及び図２に示すように、外側ストレート壁２２Ａの受け面２４には、前後方向途中から後端にかけて次第にゴム栓収容室１９側（内側）に近づくように傾斜するテーパ状の斜面２５が形成されている。一方、外側ストレート壁２２Ａの内面は、前後方向にほぼ沿って配置されたシール面２６とされている。このため、外側ストレート壁２２Ａのうち、斜面２５と対応する部分は、周囲より薄肉となる薄肉部２７として構成されることになる。
【００１７】
図１、図２及び図５に示すように、メインハウジング１１の上下両面には、外側ストレート壁２２Ａの受け面２４よりも前方に、一対の略円柱状のカムフォロア２８が突設されている。両カムフォロア２８は、相手コネクタに装着された図示しないレバーと係合し、レバーの回動に伴って相手コネクタを引き寄せて嵌合動作を低操作力で進める役割をはたす。
【００１８】
サブハウジング３０は合成樹脂製であって、図３及び図４に示すように、幅方向に延びた略ブロック状の形態とされ、図１及び図２に示すように、メインハウジング１１のハウジング収容部１３内に嵌合可能なサイズで構成されている。サブハウジング３０の後面には、ゴム栓８０が対面して密着可能とされている。そして、サブハウジング３０には、前後方向に延びて前後両面に開口する複数のキャビティ３１が設けられている。本実施例の場合、各キャビティ３１は、上下２段で幅方向に多数整列して配置されている。サブハウジング３０の各キャビティ３１内の上下両面には、ランス３２が突出して設けられている。図３及び図４に示すように、ランス３２は、サブハウジング３０の上下両面に開口する一対のスリット３３間に撓み可能に配置されている。つまり、ランス３２の外面は、サブハウジング３０の上下両面に露出して配置されている。図１及び図２に示すように、各キャビティ３１には後方から端子金具９０が挿入され、正規挿入された端子金具９０がランス３２に弾性的に係止されることで、端子金具９０がキャビティ３１内に抜け止めされるようになっている。また、サブハウジング３０の前部の両側面には、ロック受け部１８を係止可能な図示しない一対のロック部が設けられている。
【００１９】
図３及び図４に示すように、サブハウジング３０の後部の両側面には、前後方向に延びてサブハウジング３０の後面に開口する一対の嵌合溝３４（一方のみ図示）が設けられている。また、サブハウジング３０の嵌合溝３４の溝面には、仮係止突起３５と本係止突起３６とが前後に並んで設けられている。本係止突起３６は、仮係止突起３５よりも前方に配置されている。サブハウジング３０の嵌合溝３４内にはリアホルダ６０の後述する係止片６２が嵌着され、嵌着された係止片６２が仮係止突起３５及び本係止突起３６のそれぞれと係止可能とされている。
【００２０】
ゴム栓８０はシリコンゴム等のゴム製であって、図１〜図４に示すように、幅方向に延びたマット状の形態とされている。ゴム栓８０は、サブハウジング３０の後面全体を覆うサイズで構成され、図１及び図２に示すように、サブハウジング３０の後面に密着した状態で、各キャビティ３１と連通する位置に複数のシール孔８１を有している。ゴム栓８０が自然状態にある場合に、シール孔８１の内径は、電線１００の外径より少し小さく、且つ端子金具９０の外形寸法よりも充分に小さくされている。また、図３及び図４に示すように、ゴム栓８０は、各シール孔８１を挟んだ幅方向両側の位置にリアホルダ６０の係止片６２を液密に挿通可能な一対の挿通孔８２（一方のみ図示）を有している。ゴム栓８０の外面には、複数条の外周リップ８３が周回して設けられている。各外周リップ８３は、ゴム栓８０の外面に前後方向に並んで配置される。また、図１及び図２に示すように、ゴム栓８０のシール孔８１の内面には、複数条の内周リップ８４が周回して設けられている。
【００２１】
続いて、リアホルダ６０について説明すると、リアホルダ６０は合成樹脂製であって、図６〜図９に示すように、幅方向に延びた板状のホルダ本体６１と、ホルダ本体６１の前面の幅方向両端部から前方に突出する一対の板状の係止片６２と、ホルダ本体６１の長辺側の一端縁から前方に突出する板状の拡開規制部６３とからなる。
【００２２】
ホルダ本体６１は、サブハウジング３０に対し、係止片６２を介して仮係止位置と本係止位置との間を移動可能に装着される。そして、ホルダ本体６１は、ゴム栓８０の後面全体を覆うサイズで構成され、図１に示すように、サブハウジング３０に正規に装着された本係止位置において、各シール孔８１と連通する位置に複数の貫通孔６４を有している。貫通孔６４は、端子金具９０の接続部９１の外形と対応する形状で、且つ電線１００の外径より大きい開口径を有する形態とされている（図７を参照）。
【００２３】
図６〜図８に示すように、両係止片６２は、板厚部分を幅方向に向けて前方に突出する帯板状の形態とされ、図３及び図４に示すように、サブハウジング３０の嵌合溝３４内に嵌合可能とされている。両係止片６２の先端部の内面には、係止本体６５が突設されている。係止本体６５の突出端には、リアホルダ６０がサブハウジング３０に装着された状態で、仮係止突起３５又は本係止突起３６が嵌合可能な凹部６６が設けられている。
【００２４】
拡開規制部６３は、ホルダ本体６１の長辺側の一端縁に沿って幅方向にリブ状に連なる厚肉の基端部６７を有し、板厚を上下方向に向けて前方に突出する片持ち梁状の形態とされている。そして、図７〜図９に示すように、拡開規制部６３は、基端部６７と同幅をもってその基端部６７から前方へ行くに従って次第に板厚を減じる形態とされている。拡開規制部６３の外面は前後方向にほぼ真っ直ぐ延びるストレート面６８とされている。一方、拡開規制部６３の内面は前方へ行くに従って次第に外側へ傾斜するテーパ状の傾斜面６９とされている。
【００２５】
以上が本実施例の防水コネクタの構造であり、続いて、作用を説明する。
まず、ゴム栓８０の両挿通孔８２内にリアホルダ６０の両係止片６２を貫通させ、両係止片６２の先端部をゴム栓８０の前面より前方に突出させる。次いで、図３に示すように、リアホルダ６０のホルダ本体６１とサブハウジング３０の後面との間にゴム栓８０を介在させた状態で、サブハウジング３０の両嵌合溝３４内に両係止片６２を弾性的に嵌合させ、両係止片６２の係止本体６５の凹部６６にサブハウジング３０の仮係止突起３５を嵌合させる。これにより、リアホルダ６０がサブハウジング３０に対して仮係止位置に保持される。仮係止位置では、リアホルダ６０のホルダ本体６１がゴム栓８０の後面から離間して配置されている。
【００２６】
次いで、メインハウジング１１のハウジング収容部１３内にサブハウジング３０を挿入する。図２に示すように、サブハウジング３０が正規に挿入されると、サブハウジング３０のロック部がロック受け部１８に弾性的に係止され、これによってサブハウジング３０がハウジング収容部１３内に抜け止め状態に保持される。また、サブハウジング３０がハウジング収容部１３内に正規に挿入されると、ゴム栓収容室１９内にゴム栓８０が挿入される。このとき、ゴム栓８０の各外周リップ８３がゴム栓収容室１９のシール面２６に弾性的に密着して、ゴム栓収容室１９内が液密にシールされる。
【００２７】
また、図２に示すように、メインハウジング１１のハウジング収容部１３内にサブハウジング３０が挿入され、サブハウジング３０に対してリアホルダ６０が仮係止位置に保持された状態では、リアホルダ６０の拡開規制部６３の傾斜面６９が薄肉部２７の斜面２５を外側から覆うように配置されるが、傾斜面６９が斜面２５と接触することはない。また、リアホルダ６０のホルダ本体６１は、ゴム栓収容室１９の後端に位置するゴム栓８０の後面よりも後方に離間して配置される。
【００２８】
上記の状態で、サブハウジング３０のキャビティ３１内に端子金具９０を挿入する。すると、端子金具９０は、リアホルダ６０の貫通孔６４からゴム栓８０のシール孔８１を経て対応するサブハウジング３０のキャビティ３１内に挿入される。端子金具９０がシール孔８１を通過する間、接続部９１及びバレル部９２がシール孔８１の内面を強く押圧するため、ゴム栓８０が外側に膨出させられ、ゴム栓８０の各外周リップ８３に押圧された薄肉部２７が外側へ拡開変形させられる。したがって、端子金具９０がシール孔８１を通過する間、ゴム栓８０が変位不能に拘束される場合に比べ、端子金具９０側に作用するゴム栓８０の弾性力が低く抑えられ、挿入抵抗が減じられる。
【００２９】
端子金具９０がキャビティ３１内に正規挿入されると、その端子金具９０から延びる電線１００がゴム栓８０のシール孔８１内に液密に挿入されるとともに、リアホルダ６０の貫通孔６４内に遊嵌して挿入される。この場合、電線１００の外面がゴム栓８０のシール孔８１の内周リップ８４に弾性的に密着することで、電線１００周りがシールされるようになっている。
【００３０】
全ての端子金具９０がキャビティ３１内に正規挿入されたら、続いて、図１に示すように、リアホルダ６０を押し込んで本係止位置に至らす。両係止片６２の撓み動作を伴った後、両係止片６２の係止本体６５の凹部６６にサブハウジング３０の本係止突起３６が嵌合することにより、リアホルダ６０が本係止位置に保持される。
【００３１】
リアホルダ６０が本係止位置に至ると、ホルダ本体６１がゴム栓８０の後面に対面して当接し、ホルダ本体６１とサブハウジング３０の後面との間にゴム栓８０が弾性的に挟まれた状態となる。これにより、ゴム栓８０がゴム栓収容室１９内に後方への抜け出しを確実に規制された状態となる。また、リアホルダ６０が本係止位置に至ると、拡開規制部６３が薄肉部２７に深く被さり、拡開規制部６３の傾斜面６９が薄肉部２７の斜面２５に対向して当接可能に配置される。ここで、拡開規制部６３が薄肉部２７の斜面２５に当接することにより、薄肉部２７のそれ以上の拡開が抑えられ、ゴム栓８０の弾性力が逃げるのを防止することができる。その結果、電線１００がゴム栓８０から所定の締め付け力で締め付けられる状態が確保され、ゴム栓８０による所定のシール性が発揮される。なお、サブハウジング３０のキャビティ３１内に端子金具９０を挿入する作業と同時又は前後して、端子装着部１２の大型キャビティ１４内に大型の端子金具９０Ａを挿入する作業を行うとよい。
【００３２】
以上のように、本実施例によれば、リアホルダ６０を仮係止位置に留め置き、薄肉部２７から拡開規制部６３を離した状態で、サブハウジング３０のキャビティ３１内に端子金具９０を挿入することにより、ゴム栓８０のシール孔８１内に挿入された端子金具９０によってゴム栓８０が外側に押圧され、さらに薄肉部２７が押圧されて拡開させられるため、ゴム栓８０の弾性力が逃がされて、挿入抵抗を減じることができる。その結果、作業負担が軽減される。一方、リアホルダ６０を本係止位置に留め置き、拡開規制部６３が薄肉部２７にその拡開を規制した状態で被さることにより、ゴム栓８０の弾性力が適正に発揮され、ゴム栓８０のシール性が低下するのを抑えることができる。
【００３３】
＜他の実施例＞
本発明は上記記述及び図面によって説明した実施例に限定されるものではなく、例えば次のような態様も本発明の技術的範囲に含まれる。
（１）コネクタ本体は、メインハウジングとサブハウジングとに分割されず、一体のコネクタハウジングとして構成されるものであってもよい。
（２）拡開規制部がホルダ本体の上下両縁に沿って対をなして設けられるものであってもよい。
（３）拡開規制部がホルダ本体の全縁に亘って筒状に設けられるものであってもよい。
（４）リアホルダが本係止位置にある場合に、ホルダ本体がゴム栓収容室内に進入する構成であってもよい。
（５）リアホルダは、コネクタ本体に仮係止位置と本係止位置との間を移動可能に装着されるのではなく、単に後方からコネクタ本体にワンモーションで装着される構成であってもよい。
【符号の説明】
【００３４】
１０…コネクタ本体
１１…メインハウジング
１９…ゴム栓収容室
２１…外壁
２５…斜面
２７…薄肉部
３０…サブハウジング
３１…キャビティ
６０…リアホルダ
６１…ホルダ本体
６３…拡開規制部
６４…貫通孔
６９…傾斜面
８０…ゴム栓
８１…シール孔
９０…端子金具
１００…電線
【図１】
2015118829.tif 000003
【図２】
2015118829.tif 000004
【図３】
2015118829.tif 000005
【図４】
2015118829.tif 000006
【図５】
2015118829.tif 000007
【図６】
2015118829.tif 000008
【図７】
2015118829.tif 000009
【図８】
2015118829.tif 000010
【図９】
2015118829.tif 000011